(57)【要約】【課題】モアレを目立たなくさせることができる光学部材を提供する。【解決手段】光学部材３０は、多数の開口領域４２を画成する遮光性メッシュ４０を含む。遮光性メッシュ４０は、二つの分岐点４６の間を延びて開口領域４２を画成する多数の境界線分４８から形成されたパターンを有している。前記パターンにおいて、一つの分岐点４６から延び出す境界線分４８の数の平均が、３．０以上４．０未満である。開口領域４２が一定のピッチで並べられている方向が存在しない。【選択図】図８Ａ
2012198539.tif 000002
【特許請求の範囲】
【請求項１】
多数の開口領域を画成する遮光性メッシュを備えた光学部材であって、
前記遮光性メッシュは、二つの分岐点の間を延びて前記開口領域を画成する多数の境界線分から形成されたパターンを有し、
前記パターンにおいて、一つの分岐点から延び出す境界線分の数の平均が、３．０以上４．０未満であり、且つ、前記開口領域が一定のピッチで並べられている方向が存在しない、光学部材。
【請求項２】
前記パターンに含まれた前記開口領域のうち、６本の境界線分によって周囲を取り囲まれた開口領域が、最も多い、請求項１に記載の光学部材。
【請求項３】
一つの分岐点で接続される境界線分の数の前記平均が３．０より大きい、請求項１または２に記載の光学部材。
【請求項４】
一つの分岐点で接続される境界線分の数の前記平均が３．０である、請求項１または２に記載の光学部材。
【請求項５】
前記開口領域内に設けられた透明な樹脂からなる透明樹脂部を、さらに備える、請求項１〜４のいずれか一項に記載の光学部材。
【請求項６】
画像形成装置上に配置されて用いられる積層体であって、
請求項１〜５のいずれか一項に記載の光学部材を備える、積層体。
【請求項７】
画像形成装置と、
前記画像形成装置上に設けられた、請求項１〜５のいずれか一項に記載の光学部材又は請求項６に記載の積層体と、を備える、画像表示装置。
【発明の詳細な説明】
【技術分野】
【０００１】
本発明は、遮光性メッシュを有した光学部材に係り、とりわけ、モアレや濃淡のムラを目立たなくさせることができる遮光性メッシュを有した光学部材に関する。また、本発明は、この光学部材を有した積層体および画像表示装置に関する。
【背景技術】
【０００２】
従来、透光性を有する一方で不要光を吸収し得る光学部材が、種々の分野において、使用されてきた。一例として、特許文献１には、画像を形成する画像形成装置の画面上に配置される光学部材が示されている。特許文献１における光学機能シート層は、ストライプ状に交互に配列された光吸収部およびプリズム部を有している。プリズム部によって、画像をなす画像光の透過を可能としつつ、光吸収部によって、太陽光や照明光等の環境光からなる外光を不要光として吸収し得るようになっている。このような光学部材によれば、不要光を吸収することによって、画像のコントラスト（白画像輝度の黒画像輝度に対する比）を効果的に高めることができる。又プリズム部及び光吸收部の寸法や屈折率等を適宜設計することによって、画像光の出射方向を拡大或いは縮小させることも出来る。
【先行技術文献】
【特許文献】
【０００３】
【特許文献１】特開２００８−１７０９７５号公報
【発明の概要】
【発明が解決しようとする課題】
【０００４】
ところで、プラズマディスプレイパネル（以下において、単に「ＰＤＰ」とも呼ぶ）や液晶表示パネル（以下において、単に「ＬＣＤパネル」とも呼ぶ）等に代表される画像形成装置は、繰返し周期を持った画素配列を有し、画素毎の光を制御することによって所望の画像を形成している。このため、光吸収部がストライプ配列や正方格子配列で配列された光学部材を画像形成装置の画面上に重ねて配置した場合、画素配列の周期性とストライプ配列または正方格子配列された光吸収部の周期性との干渉に起因した縞状の模様、すなわちモアレ（干渉縞）が視認され、表示される画像の質を著しく劣化させる。
【０００５】
本発明は、このような点からなされたものであり、モアレを目立たなくさせることができる光学部材、並びに、この光学部材を含んだ積層体および画像表示装置を提供することを目的とする。
【０００６】
なお、モアレの発生を抑制する観点から、光吸収部の配列を不規則的にすることも検討されている。ただしこの場合、光吸収部の粗密に応じた濃淡ムラが生じるといった、別の不具合が生じることもある。本発明による光学部材によって、この濃淡ムラの発生を効果的に抑制することができれば、非常に好ましい。
【課題を解決するための手段】
【０００７】
本発明による第１の光学部材は、
多数の開口領域を画成する遮光性メッシュを備えた光学部材であって、
前記遮光性メッシュは、二つの分岐点の間を延びて前記開口領域を画成する多数の境界線分から形成されたパターンを有し、
前記パターンにおいて、一つの分岐点から延び出す境界線分の数の平均が、３．０以上４．０未満であり、且つ、前記開口領域が一定のピッチで並べられている方向が存在しない。
【０００８】
本発明による第２の光学部材は、
多数の開口領域を画成する遮光性メッシュを備えた光学部材であって、
前記遮光性メッシュは、二つの分岐点の間を延びて前記開口領域を画成する多数の境界線分から形成されたパターンを有し、
前記パターンにおいて、一つの分岐点から延び出す境界線分の数の平均が、３．０以上４．０未満である。
【０００９】
本発明による第１または第２の光学部材において、前記パターンに含まれた前記開口領域のうち、６本の境界線分によって周囲を取り囲まれた開口領域が、最も多くなっていてもよい。
【００１０】
本発明による第３の光学部材は、
多数の開口領域を画成する遮光性メッシュを備えた光学部材であって、
前記遮光性メッシュは、二つの分岐点の間を延びて前記開口領域を画成する多数の境界線分から形成されたパターンを有し、
前記パターンに含まれた前記開口領域のうち、６本の境界線分によって周囲を取り囲まれた開口領域が、最も多い。
【００１１】
本発明による第１〜第３のいずれかの光学部材において、一つの分岐点で接続される境界線分の数の前記平均が３．０より大きくてもよい。あるいは、本発明による第１〜第３のいずれかの光学部材において、一つの分岐点で接続される境界線分の数の前記平均が３．０であってもよい。
【００１２】
本発明による第１〜第３のいずれかの光学部材において、５本の境界線分によって周囲を取り囲まれた開口領域、６本の境界線分によって周囲を取り囲まれた開口領域および７本の境界線分によって周囲を取り囲まれた開口領域の少なくとも二種類が、前記パターンに含まれていてもよい。このような光学部材において、前記パターンに含まれた５本、６本または７本のうちの同一本数の境界線分によって周囲を取り囲まれた複数の開口領域の面積および形状の少なくとも一方が一定ではないようにしてもよい。このような光学部材において、６本の境界線分によって周囲を取り囲まれた開口領域が、少なくとも前記パターンに含まれるようにしてもよい。
【００１３】
本発明による第１〜第３のいずれかの光学部材において、前記パターンに含まれた前記開口領域のうち、ｋ本の境界線分によって周囲を取り囲まれた開口領域の数をＮｋとすると、
ｋが３≦ｋ≦５を満たす整数の場合に、Ｎｋ≦Ｎｋ＋１となり、
ｋが６≦ｋを満たす整数の場合に、Ｎｋ≧Ｎｋ＋１となる、
ようにしてもよい。
【００１４】
本発明による第１〜第３のいずれかの光学部材が、前記開口領域内に設けられた透明な樹脂からなる透明樹脂部を、さらに備えるようにしてもよい。
【００１５】
本発明による第４の光学部材は、
多数の開口領域を画成する遮光性メッシュを備えた光学部材であって、
前記遮光性メッシュは、二つの分岐点の間を延びて前記開口領域を画成する多数の境界線分から形成されたパターンを有し、
前記遮光性メッシュは、その内部に前記多数の開口領域が所定のパターンで配列されている単位メッシュ領域を複数領域含み、
前記単位メッシュ領域における前記所定のパターンにおいて、一つの分岐点から延び出す境界線分の数の平均が、３．０以上４．０未満であり、且つ、前記開口領域が一定のピッチで並べられている方向が、前記一つの領域内に存在しない。
【００１６】
本発明による第５の光学部材は、
多数の開口領域を画成する遮光性メッシュを備えた光学部材であって、
前記遮光性メッシュは、二つの分岐点の間を延びて前記開口領域を画成する多数の境界線分から形成されたパターンを有し、
前記遮光性メッシュは、その内部に前記多数の開口領域が所定のパターンで配列されている単位メッシュ領域を複数領域含み、
前記単位メッシュ領域における前記所定のパターンにおいて、一つの分岐点から延び出す境界線分の数の平均が、３．０以上４．０未満である。
【００１７】
本発明による第４または第５の光学部材において、前記単位メッシュ領域における前記所定のパターンに含まれた前記開口領域のうち、６本の境界線分によって周囲を取り囲まれた開口領域が、最も多くなっていてもよい。
【００１８】
本発明による第６の光学部材は、
多数の開口領域を画成する遮光性メッシュを備えた光学部材であって、
前記遮光性メッシュは、二つの分岐点の間を延びて前記開口領域を画成する多数の境界線分から形成されたパターンを有し、
前記遮光性メッシュは、その内部に前記多数の開口領域が所定のパターンで配列されている単位メッシュ領域を複数領域含み、
前記単位メッシュ領域における前記所定のパターンに含まれた前記開口領域のうち、６本の境界線分によって周囲を取り囲まれた開口領域が、最も多くなっていてもよい。
【００１９】
本発明による第４〜第６の光学部材いずれかの光学部材において、前記単位メッシュ領域における前記所定のパターンにおいて、一つの分岐点で接続される境界線分の数の前記平均が３．０より大きくてもよい。あるいは、本発明による第４〜第６の光学部材いずれかにおいて、前記単位メッシュ領域における前記所定のパターンにおいて、一つの分岐点で接続される境界線分の数の前記平均が３．０であってもよい。
【００２０】
本発明による第４〜第６の光学部材いずれかの光学部材において、５本の境界線分によって周囲を取り囲まれた開口領域、６本の境界線分によって周囲を取り囲まれた開口領域および７本の境界線分によって周囲を取り囲まれた開口領域の少なくとも二種類が、前記単位メッシュ領域における前記所定のパターンに含まれていてもよい。このような光学部材において、前記単位メッシュ領域における前記所定のパターンに含まれた５本、６本または７本のうちの同一本数の境界線分によって周囲を取り囲まれた複数の開口領域の面積および形状の少なくとも一方が一定ではないようにしてもよい。このような光学部材において、６本の境界線分によって周囲を取り囲まれた開口領域が、少なくとも前記単位メッシュ領域における前記所定のパターンに含まれるようにしてもよい。
【００２１】
本発明による第４〜第６の光学部材いずれかの光学部材において、前記単位メッシュ領域における前記所定のパターンに含まれた前記開口領域のうち、ｋ本の境界線分によって周囲を取り囲まれた開口領域の数をＮｋとすると、
ｋが３≦ｋ≦５を満たす整数の場合に、Ｎｋ≦Ｎｋ＋１となり、
ｋが６≦ｋを満たす整数の場合に、Ｎｋ≧Ｎｋ＋１となる、
ようにしてもよい。
【００２２】
本発明による第４〜第６の光学部材いずれかの光学部材が、前記単位メッシュ領域における前記所定のパターンにおいて、前記開口領域内に設けられた透明な樹脂からなる透明樹脂部を、さらに備えるようにしてもよい。
【００２３】
本発明による積層体は、
画像形成装置上に配置されて用いられる積層体であって、
上述した本発明による第１〜第６の光学部材のいずれかを備える。
【００２４】
本発明による第１の画像表示装置は、
画像形成装置と、
前記画像形成装置上に設けられた光学部材であって、上述した本発明による第１〜第６の光学部材並びに上述した本発明による積層体のいずれかと、を備える。
【００２５】
本発明による第２の画像表示装置は、
画像形成装置と、
前記画像形成装置上に設けられた光学部材であって、上述した本発明による第４〜６の光学部材のいずれかと、を備え、
前記複数の領域は、ある方向に所定のピッチで配列され、
前記所定のピッチは、前記ある方向に沿った画像形成装置の寸法の１／１０以上である。
【発明の効果】
【００２６】
本発明によれば、モアレを極めて効果的に目立たなくさせることができる。
【図面の簡単な説明】
【００２７】
【図１】図１は、本発明の一実施の形態を説明するための図であって、画像表示装置および積層体の概略構成を示す断面図である。
【図２】図２は、図１の画像表示装置および積層体に組み込まれ得る光学部材の一実施の形態を、その法線方向に沿った断面で示す、断面図である。
【図３】図３は、図２と同様の断面において、図２に示された光学部材の遮光性メッシュを含んだ光学機能層の一部を拡大して示す図である。
【図４】図４は、図３と同様の断面において、図３に示された態様とは異なる光学部材の光学機能層（遮光性メッシュ）の一態様を示す断面図である。
【図５】図５は、図３と同様の断面において、図３に示された態様とはさらに異なる光学部材の光学機能層（遮光性メッシュ）の一態様を示す断面図である。
【図６】図６は、図３と同様の断面において、図３に示された態様とはさらに異なる光学部材の光学機能層（遮光性メッシュ）の一態様を示す断面図である。
【図７】図７は、図３と同様の断面において、図３に示された態様とはさらに異なる光学部材の光学機能層（遮光性メッシュ）の一態様を示す断面図である。
【図８Ａ】図８Ａは、図１の画像表示装置および積層体に組み込まれ得る光学部材の一実施の形態を示す平面図であって、光学部材の遮光性メッシュの平面視におけるパターンを説明するための図である。
【図８Ｂ】図８Ｂは、遮光性メッシュの拡大図であって、遮光性メッシュのパターンを説明するための図である。
【図８Ｃ】図８Ｃは、図８Ａに示された光学部材とは異なる光学部材を示す平面図である。
【図８Ｄ】図８Ｄは、各本数の境界線分によって取り囲まれた開口領域の個数を示すグラフである。
【図９】図９は、図１の画像表示装置に組み込まれ得る画像形成装置の画素配列を説明するための平面図である。
【図１０Ａ】図１０Ａは、図８Ａに示された光学部材の遮光性メッシュと、図９に示された画像形成装置の画素配列と、を重ねた状態を示す平面図である。
【図１０Ｂ】図１０Ｂは、図８Ｃに示された光学部材の遮光性メッシュと、図９に示された画像形成装置の画素配列と、を重ねた状態を示す平面図である。
【図１１】図１１は、図８Ａに示された遮光性メッシュのパターンを設計する方法を説明するための図であって、母点を決定する方法を示す図である。
【図１２】図１２は、図８Ａに示された遮光性メッシュのパターンを設計する方法を説明するための図であって、母点を決定する方法を示す図である。
【図１３】図１３は、図８Ａに示された遮光性メッシュのパターンを設計する方法を説明するための図であって、母点を決定する方法を示す図である。
【図１４】図１４（ａ）〜（ｄ）は、決定された母点群を絶対座標系および相対座標系において示す図であり、母点群の分散の程度を説明するための図である。
【図１５】図１５は、図８Ａに示された遮光性メッシュのパターンを設計する方法を説明するための図であって、決定された母点からボロノイ図を作成してパターンを決定する方法を示す図である。
【図１６】図１６は、光学部材の一変形例を示す平面図である。
【図１７】図１７は、図１の画像表示装置に組み込まれ得る従来技術に係わる光学部材の遮光性メッシュのパターンを説明するための平面図である。
【図１８】図１８は、図１７に示された光学部材の遮光性メッシュと、図９に示された画像形成装置の画素配列と、を重ねた状態を示す平面図である。
【発明を実施するための形態】
【００２８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２９】
また、以下に説明する実施の形態は、本発明をプラズマディスプレイ装置として構成された画像表示装置に適用する例とした。しかしながら、この例に限られず、本発明を、例えばＣＲＴを用いた画像表示装置等、種々の画像表示装置或いは画像表示装置以外の其の他の用途に対して広く適用することができる。
【００３０】
図１〜図１５は、本発明による一実施の形態を説明するための図である。このうち、図１は、画像表示装置１０の表示面１０ａへの法線方向に沿った断面において当該画像表示装置１０を示す断面図である。図２は、画像表示装置１０に組み込まれた光学部材（光学シート）３０を、その法線方向に沿った断面において、示す図である。図３は、光学部材３０の一態様を示す断面図であり、図４〜図７は、光学部材３０のその他の態様を示す断面図である。図８Ａおよび図８Ｃは、光学部材３０を法線方向から示す平面図である。図９は、画像形成装置１５を法線方向から示す平面図であって、画像形成装置１５の画素配列を説明するための図である。図１０Ａおよび図１０Ｂは、それぞれ、図８Ａおよび図８Ｃに示された光学部材３０の遮光性メッシュ４０と、図９に示された画像形成装置１５の画素配列と、を重ねた状態を法線方向から示す平面図である。図１１〜図１５は、図８Ａに示された遮光性メッシュ４０の平面パターンを決定する方法を説明するための図である。
【００３１】
図１に示すように、画像表示装置１０は、画像を形成し得る画像形成装置１５と、画像形成装置１５の出光側（画像観察者側、以下、画像観察者（側）を単に観察者（側）とも略称する）に配置された遮光性メッシュ４０と、を有している。そして、本発明に於いては、遮光性メッシュ４０を画像形成装置１５上の表示面（所謂画面、出光面とも呼称する）上に設置するに際して、最も単純な形態では、遮光性メッシュ４０のみを単独で表示面上に設置することが出来る。但し、通常は、遮光性メッシュ４０の開口領域４２に透明樹脂部３６を充填して光学機能層３５を最低限の構成要素とする光学部材３０を構成する。光学部材３０としては、更に光学機能層３５の片面に透明基材３１を積層した形態とすることも出来る。そして、此の光学部材３０の形態を使用単位として表示面上に設置される。好ましくは、図１に図示する如く、光学部材３０の片面或いは両面に各種の機能層を積層した積層体２０の形態で表示面上に設置される。したがって、積層体２０の出光面が、画像表示装置１０の表示面（出光面）１０ａをなし、観察者は、画像形成装置１５で形成された画像を、積層体２０を介して観察することになる。
【００３２】
なお、図示された例では、積層体２０が、画像形成装置１５に接触して配置されている。この場合、積層体２０は、接着剤によって画像形成装置１５と接合されていてもよいし、単に、画像形成装置１５上に配置されていてもよい。あるいは、図示された例とは異なり、積層体２０が、画像形成装置１５から離間して配置されていてもよい。また、積層体２０が、画像形成装置１５と接合されていない場合には、積層体２０が、硝子板等の高剛性を有した支持板（支持層）を含むようにしてもよい。なお、本明細書で用いる「接着剤」には、「粘着剤」も含まれるものとする。
【００３３】
本実施の形態では、画像表示装置１０をプラズマディスプレイ装置として構成していることに対応して、画像形成装置１５は、プラズマディスプレイパネル（ＰＤＰ）として構成されている。ＰＤＰは、二枚のガラス基板を有し、この二枚のガラス基板の間には画像を画成する放電セルを有し、該放電セル内にはキセノン等の希ガスが充填されている。そして、この希ガス雰囲気中にプラズマを生成し、このときに生じる紫外線を各放電セル内の蛍光体に当てることによって、画素毎に可視光を発生させるようになっている。ＰＤＰとして構成された画像形成装置１５は、画素毎の発光を制御することにより、画像形成面１５ａから観察され得る画像を、形成することができる。
【００３４】
図９には、画像像形成装置（画像表示パネル）１５の画素配列の一例が開示されている。図９に示すように、一つの画素Ｐは、赤色に発光する副画素（サブピクセル）ＲＰと、緑色に発光する副画素ＧＰと、青色に発光する副画素ＢＰと、から構成されている。すなわち、画像形成装置１５はカラーで画像を形成することができるようになっている。図９に示された例は、いわゆるストライプ配列として、画素Ｐが形成されている。すなわち、赤色に発光する副画素ＲＰ、緑色に発光する副画素ＧＰおよび青色に発光する副画素ＢＰは、それぞれ、一つの方向（図９では縦方向）に連続して並べられている。一方、赤色に発光する副画素ＲＰ、緑色に発光する副画素ＧＰおよび青色に発光する副画素ＢＰは、当該一つの方向に直交する方向（図９では横方向）に、一つずつ、交互に順に並べられている。なお、図９は、画像形成装置１５の画像形成面（出光面）１５ａへの法線方向、言い換えると、画像形成装置１５をなすプラズマディスプレイパネルのパネル面への法線方向から当該画像形成装置１５を観察した状態で、画素Ｐの配列を示している。
【００３５】
画像形成装置１５の出光側に配置された積層体２０は、シート状に形成された光学部材（光学シート）３０を有している。光学部材３０は、画像形成装置１５からの画像光を透過させることが可能であるとともに、その一方で、表示装置１０内に入射した照明光や太陽光等の環境光に代表される不要光（外光）を適切に遮蔽する機能を有している。画像表示装置１０が明るい環境内に配置されると、画像表示装置１０内に入射する環境光によって、表示画像のコントラストが低下する。とりわけ、ＰＤＰを用いた画像表示装置１０では、画像表示装置１０内に入射した環境光がＰＤＰ内の蛍光体で反射されることにより、表示画像のコントラスが著しく低下しやすい。光学部材３０は、画像表示装置１０内に入射した環境光を吸収することにより、表示画像のコントラスト向上に寄与することができる。このような光学部材３０については、さらに詳しく後述する。
【００３６】
加えて、積層体２０は、光学部材３０に積層された種々の機能層を含んでいる。積層体２０に含まれる機能層は、画像形成装置１５に対応して適宜選択され、例えば、プラズマディスプレイパネルからなる画像形成装置１５から放射されるｋＨｚからＧＨｚ帯域の不要な電磁波（すなわち、ここで言う「電磁波」とは、可視光、近赤外線および紫外線を含まない概念である）を遮蔽する電磁波遮蔽部材（電磁波遮蔽シート）が、積層体２０に含まれ得る。
【００３７】
また、その他の機能層として、プラズマディスプレイパネルからなる画像形成装置１５から放射される特定波長域の放射線等を遮蔽するフィルタ機能を有した層や、光学機能を付与された層や、保護機能等のその他の機能を付与された層が例示され得る。より具体的には、フィルタ機能を有した層としては、近赤外線を吸収する機能を有した層、ネオン光を吸収する機能を有した層、紫外線（ＵＶ）を吸収する機能を有した層、可視光線中の特定波長域の中に吸収スペクトルを持つ着色フィルタ機能を有した層等が挙げられる。また、光学機能を有した層としては、反射防止層や防眩層等が挙げられ、保護機能等を有した層としては、ハードコート層、耐衝撃層、防汚染層、帯電防止等が挙げられる。
【００３８】
ところで、積層体２０に含まれる各層は、接着剤を用いて、互いに接合されていてもよい。また、この接着剤に、近赤外線を吸収する機能、ネオン光を吸収する機能、紫外線（ＵＶ）を吸収する機能等の種々の機能の一以上を付与するようにしてもよい。
【００３９】
なお、本明細書において、「出光側」とは、進行方向を折り返されることなく画像形成装置１５から積層体２０を経て観察者へ向かう光の進行方向における下流側（観察者側、図１においては紙面の上側）のことである。
【００４０】
また、本明細書において、「シート」、「フィルム」、「板」の用語は、呼称の違いのみに基づいて、互いから区別されるものではない。
【００４１】
さらに、本明細書において、「シート面（フィルム面、板面、パネル面）」とは、対象となるシート状の部材を全体的かつ大局的に見た場合において対象となるシート状部材の平面（の広がり）方向と一致する面のことを指す。そして、本実施の形態においては、画像形成装置１５のパネル面、画像形成装置１５の出光面（画像形成面）１５ａ、積層体２０のシート面、光学部材３０のシート面、画像表示装置１０の表示面１０ａ等は、互いに平行となっている。なお、各シート状部材は、通常は、何れも厚み分布が全面に亘って均一の為、各シート状部材のシート面は、其の表面、裏面、或いはこれら表裏面と平行な（仮想的）平面を意味する。
【００４２】
さらに、本明細書において用いる、形状や幾何学的条件を特定する用語、例えば、「平行」や「直交」等の用語については、厳密な意味に縛られることなく、同様の機能を期待し得る程度の許容誤差を含めて解釈することとする。
【００４３】
次に、光学部材３０についてさらに詳述する。図１に示すように、本実施の形態において、光学部材３０は、シート状の透明基材３１と、透明基材３１上に設けられた光学機能層３５と、を有している。なお、図１および図２に示された例において、光学部材３０は積層体２０の中間部に配置されており、且つ、光学部材３０の基材３１が画像形成装置１５の側に配置されている。ただし、この例に限られず、光学部材３０が積層体２０のうちの中間部以外の位置、例えば最も画像形成装置１５の側に配置されていてもよい。また、光学部材３０の光学機能層３５が透明基材３１よりも画像形成装置１５の側に配置されていてもよい。
【００４４】
透明基材３１は、光学機能層３５を支持する層であり、適度な強度および適度な透明性を有するように、適宜構成される。一例として、透明基材３１の厚さを２０μｍ〜２００μｍとすることができ、このような透明基材３１として、例えば、二軸延伸ポリエチレンテレフタレート（ＰＥＴ）フィルムを用いることができる。二軸延伸ポリエチレンテレフタレートフィルムは、適度な透明性と、紫外線照射処理や加熱処理等に対する耐久性と、を有している点で、透明基材３１としての適用に好適である。
【００４５】
光学機能層３５は、多数の開口領域４２を画成する遮光性メッシュ４０と、開口領域４２内に充填された透明な樹脂からなる透明樹脂部（光透過部）３６と、を有している。遮光性メッシュ４０は、多数の開口領域４２を画成する網状に形成されたライン部４４として形成されている。そして、遮光性メッシュ４０は、シート状の光学部材３０のシート面への法線方向から観察した場合（図８Ａの視野において）、二つの分岐点４６の間を延びて開口領域４２を画成する多数の境界線分４８から形成されたパターンを有している。斯かる境界線分４８の集合体としてライン部４４が構成される。したがって、図２および図３に示すように、光学部材３０のシート面への法線方向に沿った断面において、遮光性メッシュ４０および透明樹脂部３６は、光学部材３０のシート面に沿って交互に位置するようになる。ここで図３は、図２に示した光学機能層３５に含まれる二つの透明樹脂部３６と、その間に位置する遮光性メッシュ４０の境界線分４８と、を示す図２の部分拡大図である。なお、遮光性メッシュ４０の平面視におけるパターンについては、後に詳述する。
【００４６】
透明樹脂部３６は、光を透過させる機能を有した部位であり、図２に示すように、画像形成装置１５からの画像光Ｌ２１が透過し得るようになっている。観察者は、透明樹脂部３６を介して、画像形成装置１５で形成される画像を観察し得るようになる。遮光性メッシュ４０は、光を吸収する機能を有した部位であり、図２に示すように、光学部材３０のシート面への法線方向から傾斜した光Ｌ２６、典型的には観察者側から積層体２０に入射した照明光や太陽光等の環境光、さらには、画像表示装置１０内の迷光を吸収し得るようになっている。このように、表示装置１０内に観察者側から入射した画像光以外の不要光Ｌ２６を遮光性メッシュ４０が吸収することにより、表示装置１０によって表示される表示画像のコントラストを効果的に向上させることができる。
【００４７】
図３に示された遮光性メッシュ４０は、母材（バインダー部）５１と、母材５１中に分散された光吸収粒子５２と、を有している。光吸収粒子５２は、可視光を吸収する機能を有した粒子である。これにより、光学機能層３５において、透明樹脂部３６と遮光性メッシュ４０との界面で反射せずに遮光性メッシュ４０内に入射した光を光吸収粒子５２で吸収することができる。ここで説明した光学機能層３５では、このような光吸収粒子５２の可視光吸収機能によって、光学部材３０の法線方向から傾斜した光、典型的には、環境光や迷光等の不要光が効果的に吸収されるようになり、表示画像のコントラストを向上させることができる。
【００４８】
このような光吸収粒子５２としては、カーボンブラック等の光吸収性の着色粒子が好ましく用いられるが、これらに限定されるものではなく、画像形成装置１５からの光の特性に合わせて特定の波長を選択的に吸収する着色粒子を使用してもよい。具体的には、カーボンブラック、グラファイト等の炭素、黒色酸化鉄、酸化銅等の金属酸化物等の顔料、アニリンブラック等の染料、或いは、これら顔料或いは染料等で着色した樹脂微粒子や着色したガラスビーズ等を挙げることができる。特に、着色した樹脂微粒子が、コスト面、品質面、入手の容易さ等の観点から好ましく用いられ、より具体的には、カーボンブラックを含有した架橋アクリル微粒子や、カーボンブラックを含有した架橋ウレタン微粒子等が好ましく用いられる。こうした光吸收粒子は、通常、遮光性メッシュ４０をなすようになる組成物中に３質量％以上３０質量％以下の範囲で含まれ得る。
【００４９】
なお、遮光性メッシュ４０に可視光吸収機能を発現させるための手段は、光吸収粒子５２による方法に限定されるものではない。例えば、顔料や染料によって、金属や樹脂からなる遮光性メッシュ４０の表面全体を着色し、遮光性メッシュ４０が全体として光吸収機能を発揮するようにしてもよい。
【００５０】
図２および図３に示された例において、透明樹脂部３６は、光学部材３０への法線方向に沿った断面にて、台形形状となっている。そして、図２および図３の断面において、透明樹脂部３６をなす台形形状における短い上底及び長い下底は、光学部材３０のシート面に沿うようになっており、台形断面における長い下底が透明基材３１の側に位置している。一方、図２および図３に示された例において、遮光性メッシュ４０の境界線分４８は、光学部材３０への法線方向に沿った断面にて、三角形形状となっている。そして、遮光性メッシュ４０の境界線分４８をなす三角形形状における底辺と、透明樹脂部３６をなす台形形状における短い上底と、によって光学機能層３５の透明基材３１に対面しない側の面が形成されている。
【００５１】
また、図２および図３に示された例では、光学機能層３５は、シート状に形成された透明なランド部（連通部）３７を有しており、このランド部３７上に、遮光性メッシュ４０および透明樹脂部３６が支持されている。このようなランド部３７は、例えば後述する光学機能層３５の製造方法に起因して、透明樹脂部３６と同一の材料から一体的に形成され得る。ただし、光学機能層３５において、このランド部３７は必須ではない。したがって、ランド部３７が省略されて、光学機能層３５が、遮光性メッシュ４０および透明樹脂部３６のみから形成されてもよい。
【００５２】
ただし、光学部材３０の法線方向に沿った断面における、遮光性メッシュ４０の境界線分４８および透明樹脂部３６の断面形状は、図２及び図３に示された例に限られず、例えば図４〜図７に示すように、種々の変更が可能である。
【００５３】
図４に示された態様では、遮光性メッシュ４０の境界線分４８の断面形状が台形形状となっている。詳しくは、遮光性メッシュ４０の境界線分４８の断面形状が平行な上底及び下底と、上底及び下底を結ぶ２つの斜辺とを有する台形、とりわけ等脚台形となっている。
【００５４】
図５に示された態様では、遮光性メッシュ４０の境界線分４８をなす台形形状または三角形形状の斜辺（遮光性メッシュ４０と透明樹脂部３６との界面）が、１つの辺からではなく、２つの辺から構成されている。すなわち、遮光性メッシュ４０の境界線分４８を画成する斜辺は、断面において、折れ線状に形成されている。そして、断面略台形形状の下底側の斜辺または断面略三角形における底辺側の斜辺が光学機能層３５のシート面への法線方向に対してなす角度をθａ１とし、断面略台形形状の上底側の斜辺または断面略三角形における頂点側（基材３１の側）に配置される斜辺が光学機能層３５のシート面への法線方向に対してなす角度をθａ２とすると、θａ１＞θａ２の関係が成り立つようにしてもよい。また、断面略台形形状の下底側の斜辺または断面略三角形における底辺側の斜辺の、光学機能層３５のシート面への法線方向に沿った長さＨａ１が、断面略台形形状の上底側の斜辺または断面略三角形における頂点側の斜辺の、光学機能層３５のシート面への法線方向に沿った長さＨａ２と同一になるようにしてもよい。
【００５５】
また、図５に示された例に限られず、遮光性メッシュ４０の境界線分４８をなす断面略台形形状または断面略三角形形状における各斜辺（遮光性メッシュ４０と透明樹脂部３６との界面）が、三以上の線分からなる折れ線として形成されていてもよい。さらに、遮光性メッシュ４０の境界線分４８の断面略台形形状または断面略三角形形状における各斜辺が、図６に示された態様のように、曲線として構成されていてもよい。あるいは、図７に示された態様のように、遮光性メッシュ４０の境界線分４８をなす断面形状が矩形状となっていてもよい。すなわち、図７に示された態様では、遮光性メッシュ４０の境界線分４８の断面形状は、光学部材３０のシート面と平行に延びる一対の辺と、光学部材３０のシート面への法線方向と平行に延びる一対の辺と、によって画成されている。
【００５６】
このような透明樹脂部３６および遮光性メッシュ４０の具体例として、光学部材３０の法線方向に沿った断面における各寸法を、一例として、次のように設定することができる。まず、遮光性メッシュ４０の境界線分４８の最大幅Ｗｍａｘ、より厳密には、当該境界線分の長手方向に直交する断面での最大幅Ｗｍａｘを５μｍ以上１００μｍ以下とすることができる。また、遮光性メッシュ４０の境界線分４８の高さＨ（透明樹脂部３６の高さ）を２０μｍ以上２００μｍ以下とすることができる。光学機能層３５がランド部３７を有する場合には、光学機能層３５の総厚みＴと、遮光性メッシュ４０の境界線分４８の高さＨとが、０．８Ｔ≦Ｈ≦Ｔの関係を満たすようにしてもよい。また、開口領域４２の大きさは、当該開口領域に属する分岐点４６（分岐点については、後述する）のすべてを通る円、すなわち外接円が描ける場合には、この円の直径の大きさが、あるいは、対象となる開口領域４２に属する分岐点４６のすべてを通る円が描けない場合には、この開口領域４２に属する二つの分岐点間の最大距離の大きさが、５μｍ以上１０００μｍ以下となるように、設定することができる。
【００５７】
また、遮光性メッシュ４０による不要光吸収機能をある程度確保するだけでなく、画像形成装置１５からの画像光を透過させるため、遮光性メッシュ４０（光学部材３０）はある程度の高い可視光透過率を確保する必要がある。具体的には、多数の開口領域４２が閉めている領域の総割合（以下において「開口率」とも呼ぶ）が５０％以上９０％以下となるように、境界線分４８の幅、各開口領域４２の大きさ乃至面積を調節することが好ましい。
【００５８】
さらに、透明樹脂部３６をなす材料の屈折率や、遮光性メッシュ４０をなす材料の屈折率は、適宜選択され得る。ただし、図示された形態のように、遮光性メッシュ４０の境界線分４８の幅が観察者側に向けて広がっていく形態においては、遮光性メッシュ４０の母材５１の屈折率Ｎｂ及び透明樹脂部３６をなす材料の屈折率Ｎｐは適宜の値に設計される。遮光性メッシュ４０の母材５１の屈折率Ｎｂが、透明樹脂部３６をなす材料の屈折率Ｎｐよりも小さく設定された形態の場合、図２に示されているように、画像形成装置１５からの画像光ののうち、遮光性メッシュ４０に当たること無く開口領域４２を通過するＬ２１は、そのまま吸收されること無く光学機能層３５を透過することができる。残り画像光Ｌ２２は遮光性メッシュ４０の境界線分４８を画成する斜面の法線に対する入射角が臨界角超過となり、透明樹脂部３６と遮光性メッシュ４０との界面で吸收されること無く全反射し得る。此の全反射した画像光Ｌ２２が画像光の出射角度(表示面１０ａの法線に対する角度)範囲を拡大し、表示装置１０に適切な視野角を付与することが可能となる。
【００５９】
一方、日光等の不要光Ｌ２６は該斜面の法線に対する入射角が臨界角未満となり、全反射すること無く、入射光の殆ど(通常、入射光の９５％程度)が遮光性メッシュ４０の内部に侵入し、光吸收粒子５２に吸收され得る。其の結果、視野角拡大効果及び外光存在下に於ける画像コントラスト向上効果の両効果を奏することができる。なお、この観点において、透明樹脂部３６と遮光性メッシュ４０との界面が光学部材３０のシート面への法線方向に対してなす角度θａは、０°より大きく１０°以下となっていることが好ましく、０°より大きく６°以下となっていることが更に好ましい。尚、此の場合、遮光性メッシュ４０の母材５１の屈折率Ｎｂは、透明樹脂部３６をなす材料の屈折率Ｎｐよりも０．１２〜０．５だけ小さく設定することが好ましい。
【００６０】
又、遮光性メッシュ４０の母材５１の屈折率Ｎｂが、透明樹脂部３６をなす材料の屈折率Ｎｐよりも大きく設定される態様の場合、画像光のうち、開口領域４２を通過するＬ２１は、前記態様と同樣に、その儘吸收無しで透過する。一方、遮光性メッシュ４０の境界線分４８を画成する斜面に入射するＬ２２は、図２の場合と異なり、透明樹脂部３６と遮光性メッシュ４０との界面で全反射することが無く、吸收される。其の為、画像光の出射角度範囲を縮小し（狭め）、表示装置１０視野角を制限することが可能となる。一方、日光等の不要光Ｌ２６は該斜面の法線に対する入射角如何によらず、全反射無しで殆どは遮光性メッシュ内部に侵入し、光吸收粒子５２に吸收される。其の結果、視野角抑制効果及び外光存在下に於ける画像コントラスト向上効果の両効果を奏する。此の形態は、個人用途や秘密情報表示用の画像表示装置に於ける覗き見防止用途に好適である。
【００６１】
ここで、以上のような光学部材３０を作製する方法の一例について説明する。以下の説明では、まず透明樹脂部３６を形成し、その後に遮光性メッシュ４０を形成することによって、光学部材３０を作製している。
【００６２】
まず、透明樹脂部３６は、硬化することによって透明樹脂部３６を構成するようになる光透過部構成組成物、例えば、電子線、紫外線等の電離放射線により硬化する特徴を有したエポキシアクリレート等を用いて、作製され得る。具体的には、遮光性メッシュ４０の構成（配置、形状等）に対応した凸部を有した型ロール、言い換えると、透明樹脂部３６の構成（配置、形状等）に対応した凹部を有した型ロールを準備する。当該型ロールとニップロールとの間に透明基材３１となるシートを送り込み、該シートの送り込みに合わせて、光透過部構成組成物を型ロールと透明基材３１との間に供給する。その後、透明基材３１上に供給された未硬化状態で液状の光透過部構成組成物が型ロールの凹部に充填されるように、型ロールおよびニップロールで該光透過部構成組成物を押圧する。このとき、型ロールの凹部の深さより厚くなるように、すなわち、型ロールと透明基材３１とが接触しないように、光透過部構成組成物を透明基材３１上に供給しておくことによって、上述したランド部３７が、透明樹脂部３１と一体的に光透過部構成組成物から形成されるようになる。このようにして透明基材３１と型ロールとの間に未硬化で液状の光透過部構成組成物を充填した後、電離放射線を照射して該光透過部構成組成物を硬化（固化）させることによって透明樹脂部３６を形成することができる。
【００６３】
次に、遮光性メッシュ４０は、硬化することによって母材５１をなすようになる電離放射線により硬化する特徴を有したウレタンアクリレート等と、カーボンブラク等からなる光吸収粒子５２と、を含んだ未硬化で液状の光吸収部構成組成物を用いて、作製され得る。まず、先に形成された透明樹脂部３６上に光吸収部構成組成物を供給する。その後、隣り合う透明樹脂部３６の間の形成された溝、すなわち、型ロールの凸部に対応していた部分の内部に、ドクターブレードを用いながら、光吸収部構成組成物を充填しつつ、該溝外に溢出した余剰分の光吸収部構成組成物を掻き落としていく。その後、透明樹脂部３６の間の光吸収部構成組成物に電離放射線を照射して硬化させることにより、遮光性メッシュ４０が形成される。これにより、透明基材３１、並びに、透明基材３１上に設けられたランド部３７と、ランド部３７上に設けられた透明樹脂部３６および遮光性メッシュ４０と、を有した光学機能層３５を含む光学部材３０が作製される。
【００６４】
さらに、図８Ａ〜図８Ｄおよび図１５を主として参照しながら、シート状の光学部材３０のシート面への法線方向から観察した場合における遮光性メッシュ４０のパターンについて、説明する。
【００６５】
図８Ａおよび図１５に示すように、遮光性メッシュ４０のライン部４４は、多数の分岐点４６を含んでいる。そして、遮光性メッシュ４０のライン部４４は、両端において分岐点４６を形成する多数の境界線分４８から構成されている。すなわち、遮光性メッシュ４０のライン部４４は、二つの分岐点４６の間を延びる多数の境界線分４８から構成されている。そして、分岐点４６において、境界線分４８が接続されていくことにより、開口領域４２が画成されている。言葉を換えて言うと、境界線分４８で囲繞、区劃されて１つの開口領域４２が画成されている。
【００６６】
なお、図８Ａおよび図１５に示すように、ここで説明する例では、ライン部４４が境界線分４８のみから構成されているため、開口領域４２の内部に延び入るライン部４４は存在しない。このような態様によれば、光学部材３０に十分な不要光吸収機能と高い可視光透過率とを同時に付与することを効果的に実現することできる。
【００６７】
ところで、上述したように、画素配列を有する画像形成装置１５に遮光性メッシュ１４０を有した従来の光学部材１３０が積層されると、画素の規則的（周期的）パターンと遮光性メッシュ１４０の規則的（周期的）パターンとに起因した縞状の模様、すなわちモアレが視認されることがある。モアレが視認されると、画像表示装置に表示される画像の画質を著しく劣化させることになる。
【００６８】
図１７には、正方格子状パターンで形成された遮光性メッシュ１４０を有した従来の光学部材１３０が示されている。また、図１８には、図１７に示された従来の光学部材１３０の遮光性メッシュ１４０を、図９に示された典型的な画素配列上に重ねた状態が示されている。図１８からも理解され得るように、遮光性メッシュ１４０が画像形成装置１５の画素配列上に配置されると、遮光性メッシュ１４０の規則的（周期的）パターンと画素Ｐの規則的（周期的）パターンとの干渉によって、明暗の筋（図１８に示された例では、左上から右下に延びている明暗の筋）が視認されるようになる。
【００６９】
なお、図１７および図１８に示された例では、遮光性メッシュ１４０によって形成された正方格子の配列方向が、画素Ｐの配列方向に対して、数度傾斜している。此の傾斜角をバイアス角（度）と呼称する。このような傾斜は、一般的に、モアレを目立たなくさせるものとして広く用いられている手法である。但し、図１８に於いて、残留した縞状模様が視認されることからも理解され得るように、モアレ発生の程度は単にバイアス角のみで決まる訳では無く、其の他、画素Ｐ及び遮光性メッシュ１４０間の繰返周期の比、遮光性メッシュ１４０の線幅等の要因にも依存する。遮光性メッシュ１４０のバイアス角のみでモアレを解消しようとすると、画像形成装置１５の設計仕様毎に応じてバイアス角の異なる遮光性メッシュを用意する必要が有る。
【００７０】
一方、モアレの発生を防止するため、本実施の形態による光学部材３０の遮光性メッシュ４０では、開口領域４２が繰返し規則性（周期的）を持ったピッチで並べられた直線方向が存在しないようになっている。本件発明者らは、鋭意研究を重ねた結果として、単に遮光性メッシュ４０のパターンを不規則化するのではなく、遮光性メッシュ４０の開口領域４２が一定のピッチで並べられた方向が存在しないように遮光性メッシュ４０のパターンを画成することが、光学部材３０と画素配列を有した画像形成装置１５とを重ねた際に生じ得るモアレを極めて効果的に目立たなくさせることに極めて有効であることを知見した。
【００７１】
ここで、図８Ｂは、開口領域４２が一定のピッチで並べられた方向が存在しない状態、言い換えると、開口領域４２が規則的に配列された方向が存在しない状態、さらに言い換えると、開口領域４２が規則性を持って並べられた方向が存在しない状態を説明するための平面図である。図８Ｂにおいては、光学部材３０のシート面上において、任意の位置で任意の方向を向く一本の仮想的な直線ｄｉが選ばれている。この一本の直線ｄｉは、ライン部４４の境界線分４８と交差し交差点を形成している。この交差点を、図面では図面左下の側から順に、交差点Ｃ１，Ｃ２，Ｃ３，・・・・・，Ｃ９として図示してある。隣接する交差点、例えば、交差点Ｃ１と交差点Ｃ２との距離が、前記或る一つの開口領域４２の直線ｄｉ上での寸法Ｔ１である。次に、寸法Ｔ１を持つ開口領域４２に対して直線ｄｉに沿って隣接する別の開口領域４２についても、同様に、直線ｄｉ上での寸法Ｔ２が定まる。そして、任意位置で任意方向の直線ｄｉについて、直線ｄｉと交差する境界線分４８とから、任意位置で任意方向の直線ｄｉと遭遇する多数の開口領域４２について、該直線ｄｉ上における寸法として、Ｔ１，Ｔ２，Ｔ３，・・・・・・，Ｔ８が定まる。そして、Ｔ１，Ｔ２，Ｔ３，・・・・・・，Ｔ８の数値の並びには、周期性（規則性）が存在しない。すなわち、開口領域４２は、直線方向ｄｉに沿って規則性を持たないように並べられ、
Ｔｋ≠Ｔｋ＋ｌ（ｋ：任意の自然数、ｌ：任意の自然数） ・・・条件式（ｘ）
を満たすようになっている。なお、図８Ｂでは、このＴ１，Ｔ２，Ｔ３，・・・・・・，Ｔ８は、判り易い様に図面下方に、直線ｄｉと共に遮光性メッシュ４０とは分離して描いてある。
【００７２】
また、この直線ｄｉを図８Ｂで図示のものから任意の角度だけ回転させて別の方向を向く仮想的な直線ｄｉ＋１について各開口領域Ａの寸法Ｔ１，Ｔ２，・・を求めると、やはり図８Ｂで図示された場合と同様に、直線ｄｉ＋１方向に対しても、条件式（ｘ）が満たされ、開口領域の寸法Ｔ１，Ｔ２，・・に繰返し周期性（規則性）は見られない。このように、開口領域４２がいずれの方向においても条件式（ｘ）を満たす場合、開口領域４２が一定のピッチで並べられた方向が存在しない、あるいは、開口領域が規則的に配列された方向が存在しない、あるいは、開口領域４２が繰返周期を持つ方向が存在しない、あるいは、開口領域の配列が規則性を持たない、と表現する。
【００７３】
一般的には、遮光性メッシュ４０のパターンを不規則化することが、モアレの不可視化に有効であるとされてきた。しかしながら、本件発明者らの研究によれば、単に遮光性メッシュ４０のパターンの形状及び配列ピッチを不規則化したとしても、常に、モアレを十分に目立たなくさせることはできなかった。
【００７４】
モアレの問題は、表示装置の表示面に裝着される種々の部材と画像形成装置１５の画素配列との間で生じている。例えば、電磁波遮蔽シートは、開口領域を画成する導電性メッシュを有しており、この導電性メッシュのメッシュパターンが規則性を持つ場合、画像形成装置１５の画素配列との関係でモアレを生じさせていた。そして、このモアレを除去する上で、電磁波遮蔽シートの導電性メッシュのパターンを不規則化することが研究されてきた。
【００７５】
例えば、特開平１１−１２１９７４号公報に開示された導電性メッシュでは、２次元ＸＹ平面内に於いてＹ軸方向について繰り返し周期性を持たないようになっており、この結果、２次元平面全体としては完全な繰返周期を持たず不一定のパターンとして視認され得る。すなわち、開口領域の形状又は配列ピッチを部分的にでも不規則化することによれば、当該開口領域の配列の繰返規則性を、同一形状の単位開口部が縦横に一定の繰り返しピッチで特定の直線方向に並べられている図１７の正方格子配列と比較して大きく低下させ、導電性メッシュ自体が全体として不規則なパターンとして視認されるようになり得る。
【００７６】
しかしながら、本件発明者らが確認したところ、特開平１１−１２１９７４号公報に開示された導電性メッシュと同様のパターンを、上述した寸法例にて、遮光性メッシュに適用した場合、遮光性メッシュ自体は不規則パターンとして視認され得るものの、画像形成装置１５との組み合わせにおいて、モアレが知覚され得る程度に発生することを防止することができなかった。モアレを有効に目立たなくさせることができない原因は、依然としてＸ軸方向には繰返周期を有している為と考えられる。すなわち、部分的にでもＸＹ平面内の何れかの方向に繰り返し周期性が残存していると、その残存周期性によってモアレが発生するものと考えられる。
【００７７】
一方、ＷＯ２００７／１１４０７６号公報の如く、２次元ＸＹ平面内のＸ軸方向、Ｙ軸方向共に各単位開口領域が繰返周期性を持た無い完全に不規則なパターンとすれば、モアレを解消することも可能となる。しかしながら、斯かる完全不規則なパターンを採用した場合、新たな問題点が発生した。それは、各開口領域の形状及び面積が不揃いの為、該導電性メッシュ全体を眺めたとき、導電性メッシュそれ自体に外観上、濃淡のムラが目立ってしまうことである。此れは、画像表示装置の画面上に設置する用途に於いては欠点となる。
【００７８】
本件発明者らが確認したところ、ＷＯ２００７／１１４０７６号公報に開示された導電性メッシュと同様のパターンを、上述した寸法にて、遮光性メッシュに適用した場合、モアレを目立たなくさせることができたものの、遮光性メッシュに濃淡のムラが発生した。
【００７９】
一方、ここで説明する本実施の形態に係る遮光性メッシュ４０の平面パターンのように、開口領域４２（閉回路）が一定のピッチで並べられた直線方向が存在しないように遮光性メッシュ４０を構成し、且つ、次のように一つの分岐点４６から延び出す境界線分４８の数の平均に制約条件を課すことによれば、モアレの発生を効果的に防止することが可能になるとともに、濃淡ムラの発生を効果的に防止することも可能となった。このような作用効果は、モアレの不可視化として単にパターンの不規則化を実施してきた従来の技術水準からして、予測される範囲を超えた顕著な効果であると言える。
【００８０】
本実施の形態による光学部材３０の遮光性メッシュ４０では、一つの分岐点４６から延び出す境界線分４８の数の平均が３．０以上４．０未満となっている。このように一つの分岐点４６から延び出す境界線分４８の数の平均が３．０以上４．０未満となっている場合、遮光性メッシュ４０の配列パターンを、図１７に示された正方格子配列から大きく異なるパターンとすることができる。また、一つの分岐点４６から延び出す境界線分４８の数の平均が３．０より大きく４．０未満となっている場合には、ハニカム配列から規則性を崩したパターンとすることができる。そして、本件発明者らが鋭意研究を重ねたところ、一つの分岐点４６から延び出す境界線分４８の数の平均を３．０以上４．０未満とした場合、開口領域４２の配列を不規則化して、開口領域４２が繰返規則性（周期性）を持って並べられた方向が安定して存在しないようにすることが可能となり、結果として、モアレを極めて効果的に目立たなくさせることが可能となることが、確認された。
【００８１】
また、一つの分岐点４６から延び出す境界線分４８の数の平均に制約条件を課すことによれば、濃淡のムラが目立ってしまうことも防止することができた。濃淡のムラを防止し得る理由の詳細は不明であるが、一つの分岐点４６から延び出す境界線分４８の数の平均に制約条件を課すことによって、開口領域４２の平面内における分散がある程度均一化されるためのであると推測された。
【００８２】
なお、一つの分岐点４６から延び出す境界線分４８の数の平均は、厳密には、遮光性メッシュ４０内に含まれる全ての分岐点４６について、延び出す境界線分４８の数を調べてその平均値を算出することになる、ただし、実際的には、ライン部４４によって画成された一つあたりの開口領域４２の大きさ等を考慮した上で、一つの分岐点４６から延び出す境界線分４８の数の全体的な傾向を反映し得ると期待される面積を持つ一区画（例えば、上述した寸法例で開口領域４２が形成されている遮光性メッシュにおいては、３０ｍｍ×３０ｍｍの部分）に含まれる分岐点４６について延び出す境界線分４８の数を調べてその平均値を算出し、算出された値を当該遮光性メッシュについての一つの分岐点４６から延び出す境界線分４８の数の平均値として取り扱うようにしてもよい。
【００８３】
同様に、開口領域が一定のピッチで並べられている方向が存在するか否かについても、厳密には、対象となる遮光性メッシュの全領域内において任意の方向における開口領域の配列を調査することなる。ただし、実際的には、開口領域４２の配列の全体的な傾向を反映し得ると期待される面積を持つ一区画（例えば、上述した寸法例で開口領域４２が形成されている遮光性メッシュにおいては、３０ｍｍ×３０ｍｍの部分）において、その中心の一点を通過すると共に全方向についての周期性の傾向を反映するものと期待される程度の角度にて等分した各方向（例えば、上述した寸法例で開口領域４２が形成されている遮光性メッシュにおいては、１５°おきの方向）について、開口領域４２の配列を調査して、開口領域が規則的に配列された方向か存在するか否かを判断すればよい。
【００８４】
図８Ａに示された光学部材３０の遮光性メッシュ４０では、一つの分岐点４６から延び出す境界線分４８の数の平均が３．０より大きく４．０未満となっている。さらに具体的には、３８７個の分岐点４６について境界線分４８の数を確認したところ、３つの境界線分４８が延び出している分岐点４６が３７３個存在し、その他の１４個の分岐点４６からは４つの境界線分４８が延び出し、一つの分岐点４６から延び出す境界線分数（平均分岐数）は３．０４個であった。
【００８５】
そして、図１０Ａには、図８Ａに示された光学部材３０の遮光性メッシュ４０を、図９に示された典型的な画素配列上に重ねた状態が示されている。図１０Ａからも理解され得るように、図８Ａに示された遮光性メッシュ４０を実際に作製して画像形成装置１５の画素配列上に配置した場合、視認され得る程度の縞状の模様、すなわちモアレ（干渉縞）は発生しなかった。
【００８６】
また、本件発明者らが種々の遮光性メッシュ４０のパターンについて調査を行ったところ、次の条件（Ａ）、（Ｂ）および（Ｃ）のうちの一以上の条件を満たす場合に、濃淡ムラおよびモアレの両方をより目立たなくさせることができた。
【００８７】
・条件（Ａ）：６本の境界線分４８によって周囲を取り囲まれた開口領域４２が、最も多く含まれている。すなわち、６本の境界線分４８によって周囲を取り囲まれた開口領域４２が、他の本数の境界線分４８によって周囲を取り囲まれた開口領域４２と比較して、より多く遮光性メッシュ４０に含まれている。
【００８８】
・条件（Ｂ）：次の条件（ｂ１）を満たす。好ましくは、次の条件（ｂ１）と、条件（ｂ２）よび（ｂ３）の一方と、を満たす。より好ましくは、次の条件（ｂ１）、（ｂ２）および（ｂ３）のすべてを満たす。
（ｂ１）５本の境界線分４８によって周囲を取り囲まれた開口領域４２、６本の境界線分４８によって周囲を取り囲まれた開口領域４２および７本の境界線分４８によって周囲を取り囲まれた開口領域４２の少なくとも二種類が、それぞれ複数、遮光性メッシュ４０に含まれている。
（ｂ２）５本、６本または７本のうちの同一本数の境界線分４８によって周囲を取り囲まれた複数の開口領域４２の面積および形状の少なくとも一方が一定ではない。すなわち、５本の境界線分４８によって周囲を取り囲まれた複数の開口領域４２が含まれている場合に、当該５本の境界線分４８によって画成されている複数の開口領域４２の少なくとも二つが面積および形状の少なくとも一方において互いに異なり、且つ、６本の境界線分４８によって周囲を取り囲まれた複数の開口領域４２が含まれている場合に、当該６本の境界線分４８によって画成されている複数の開口領域４２の少なくとも二つが面積および形状の少なくとも一方において互いに異なり、且つ、７本の境界線分４８によって周囲を取り囲まれた複数の開口領域４２が含まれている場合に、当該７本の境界線分４８によって画成されている複数の開口領域４２の少なくとも二つが面積および形状の少なくとも一方において互いに異なる。
（ｂ３）６本の境界線分４８によって周囲を取り囲まれた開口領域４２が、複数含まれている。
【００８９】
・条件（Ｃ）：ｋ本の境界線分４８によって周囲を取り囲まれた開口領域４２の数をＮｋとして、
ｋが３≦ｋ≦５を満たす整数の場合に、Ｎｋ≦Ｎｋ＋１
ｋが６≦ｋを満たす整数の場合に、Ｎｋ≧Ｎｋ＋１
となっている。すなわち、６本の境界線分４８によって周囲を取り囲まれた開口領域４２が最も多く含まれ、開口領域４２を取り囲む境界線分４８の本数が６本から多くなっていくにつれて、且つ、開口領域４２を取り囲む境界線分４８の本数が６本から少なくなっていくにつれて、開口領域４２の数量が少なくなっていく。
【００９０】
なお、各条件（Ａ）〜（Ｃ）を満たすか否かは、厳密には、遮光性メッシュ４０内に含まれる全ての開口領域４２について調査することになる。ただし、実際的には、ライン部４４によって画成された一つあたりの開口領域４２の大きさ等を考慮した上で、一つの開口領域４２を取り囲む境界線分４８の本数の全体的な傾向を反映し得ると期待される面積を持つ一区画（例えば、上述した寸法例で開口領域４２が形成されている遮光性メッシュにおいては、３０ｍｍ×３０ｍｍの部分）に含まれる開口領域４２について取り囲む境界線分４８の数を調査して、各条件（Ａ）〜（Ｃ）が満たされるか否かを判断すればよい。
【００９１】
上述した条件（Ａ）〜（Ｃ）の一以上を満たす遮光性メッシュ４０によって奏される作用効果は、モアレの不可視化として単にパターンの不規則化を実施してきた従来の技術水準に照らして、予測され得る範囲を超えた顕著な効果であると言える。そして、条件（Ａ）〜（Ｃ）の一以上を満たす遮光性メッシュ４０によってこのような作用効果が得られるようになる理由の詳細は不明であるが、次のことがその理由になっているものと推定される。ただし、本願発明は、以下の推定に限定されるものではない。
【００９２】
条件（Ａ）〜（Ｃ）の一以上を満たす遮光性メッシュでは、開口領域４２の配列が、同一形状の正六角形を規則的に配置してなるハニカム配列から、各開口領域の形状および配置の規則性を崩した配列、言い換えると、ハニカム配列を基準として各開口領域の形状および配置をランダム化した配列とすることができる。これにより、開口領域４２の配列に明らかな粗密が生じてしまうことを抑制することができ、多数の開口領域４２を概ね均一な密度で、すなわち概ね一様に分布させることができるものと推測される。この結果として、開口領域４２の配列を完全に不規則化し得ること、すなわち、開口領域４２が規則的に配列された方向が存在しないようにし得ることが、安定して可能となり、開口領域の配列を単に不規則化する場合と比較して、濃淡ムラおよびモアレの両方を効果的に目立たなくさせることができるものと推測される。
【００９３】
本件発明者らが行った実験の一例として、図８Ｃに示されたパターンの遮光性メッシュ４０について調査したところ、図８Ｄに示すように、この遮光性メッシュ４０には、４本、５本、６本、７本、８本、９本の境界線分４８によって取り囲まれた開口領域４２が、それぞれ、７９個、１１４１個、２３８２個、９２７個、９４個、８個含まれていた。また、この遮光性メッシュ４０には、３本の境界線分によって取り囲まれた開口領域、および、１０本以上の境界線分４８によって取り囲まれた開口領域４２が含まれていなかった。すなわち、図８Ｃに示された遮光性メッシュ４０は、条件（Ａ）、（Ｂ）および（Ｃ）のすべてを満たしていた。さらに、図８Ｃに示された遮光性メッシュ４０では、開口領域４２が一定のピッチで並べられている方向が存在せず、且つ、一つの分岐点から延び出す境界線分の数の平均が、３．０以上４．０未満となっていた。
尚、以上に於いて、境界線分４８が直線の線分からなる場合は、Ｎ本の境界線分４８によって取り囲まれた開口領域４２の徑所湯はＮ角形となる。
【００９４】
そして、図１０Ｂには、図８Ｃに示された光学部材３０の遮光性メッシュ４０を、図９に示された典型的な画素配列上に重ねた状態が示されている。図１０Ｂからも理解され得るように、図８Ｃ示された遮光性メッシュ４０を実際に作製して画像形成装置１５の画素配列上に配置した場合、視認され得る程度の縞状の模様、すなわちモアレ（干渉縞）は発生しなかった。
【００９５】
ここで、一つの分岐点４６から延び出す境界線分４８の数の平均が３．０より大きく４．０未満であり且つ開口領域４２が一定のピッチで並べられた直線方向が存在しない遮光性メッシュのパターンを作製する方法の一例を以下に説明する。
【００９６】
以下に説明する方法は、母点を決定する工程と、決定された母点からボロノイ図を作成する工程と、ボロノイ図における一つのボロノイ境界によって結ばれる二つのボロノイ点の間を延びる境界線分の経路を決定する工程と、決定された経路の太さを決定して各境界線分を画定して遮光性メッシュ４０（ライン部４４）のパターンを決定する工程と、を有している。以下、各工程について順に説明していく。なお、上述した図８Ａに示されたパターンは、実際に以下に説明する方法で決定されたパターンである。
【００９７】
まず、母点を決定する工程について説明する。最初に、図１１に示すように、絶対座標系Ｏ−Ｘ−Ｙの任意の位置に一つめの母点（以下、「第１の母点」と呼ぶ）ＢＰ１を配置する。次に、図１２に示すように、第１の母点ＢＰ１から距離ｒだけ離れた任意の位置に第２の母点ＢＰ２を配置する。言い換えると、第１の母点ＢＰ１を中心として絶対座標系Ｏ−Ｘ―Ｙ上に位置する半径ｒの円周（以下、「第１の円周」と呼ぶ）上の任意の位置に、第２の母点ＢＰ２を配置する。次に、図１３に示すように、第１の母点ＢＰ１から距離ｒだけ離れ且つ第２の母点ＢＰ２から距離ｒ以上離れた任意の位置に、第３の母点ＢＰ３を配置する。その後、第１の母点ＢＰ１から距離ｒだけ離れ且つその他の母点ＢＰ２，ＢＰ３から距離ｒ以上離れた任意の位置に、第４の母点を配置する。
【００９８】
このようにして、次の母点を配置することができなくなるまで、第１の母点ＢＰ１から距離ｒだけ離れ且つその他の母点から距離ｒ以上離れた任意の位置に母点を配置していく。その後、第２の母点ＢＰ２を基準にしてこの作業を続けていく。すなわち、第２の母点ＢＰ２から距離ｒだけ離れ且つその他の母点から距離ｒ以上離れた任意の位置に、次の母点を配置する。第２の母点ＢＰ２を基準にして、次の母点を配置することができなくなるまで、第２の母点ＢＰ２から距離ｒだけ離れ且つその他の母点から距離ｒ以上離れた任意の位置に母点を配置していく。その後、基準となる母点を順に変更して、同様の手順で母点を形成していく。
【００９９】
以上の手順で、遮光性メッシュ４０が形成されるべき領域内に母点を配置することができなくなるまで、母点を配置していく。遮光性メッシュ４０が形成されるべき領域内に母点を配置することができなくなった際に、母点を作製する工程が終了する。ここまでの処理により、２次元平面（ＸＹ平面）に於いて不規則的に配置された母点群が、遮光性メッシュ４０が形成されるべき領域内に一様に分散した状態となる。
【０１００】
此のような工程で２次元平面（ＸＹ平面）内に分布された母点群ＢＰ１、ＢＰ２、・・、ＢＰ６（図１４（Ａ）参照）について、個々の母点間の距離は一定では無く分布を有する。但し、任意の隣接する２母点間の距離の分布は完全なランダム分布（一様分布）でも無く、平均値ＲＡＶＧを挟んで上限値ＲＭＡＸと下限値ＲＭＩＮとの間の範囲ΔＲ＝ＲＭＡＸ−ＲＭＩＮの中で分布している。尚、此処で、隣接する２母点であるが、母点群ＢＰ１、ＢＰ２、・・から後述するボロノイ図を作成した後、２つのボロノイ領域ＸＡが隣接していた場合に、その２つのボロノイ領域ＸＡの母点同士が隣接していると定義する。
【０１０１】
即ち、ここで説明した母点群について、各母点を原点とする座標系（相対座標系ｏ−ｘ−ｙと呼称し、一方、現実の２次元平面を規定する座標系を絶対座標系Ｏ−Ｘ−Ｙと呼称する）上に、原点に置いた母点と隣接する全母点をプロットした図１４（Ｂ）、図１４（Ｃ）、・・等のグラフを全母点について求める。そして、これら全部の相対座標系上の隣接母点群のグラフを、各相対座標系の原点ｏを重ね合わせて表示すると、図１４（Ｄ）の如きグラフが得られる。斯かる相対座標系上での隣接母点群の分布パターンは、母点群を構成する任意の隣接する２母点間の距離が０から無限大迄の一様分布では無く、ＲＡＶＧ―ΔＲからＲＡＶＧ＋ΔＲ迄の有限の範囲（半径ＲＭＩＮからＲＭＡＸ迄のドーナツ形領域）内に分布していることを意味する。なお図１４（Ａ）において、これら母点群から得られるボロノイ境界（図１５参照）を参考までに破線で図示してある。
【０１０２】
斯くの如く各母点間の距離を設定することによって、該母点群から以下に説明する方法で得られるボロノイ領域ＸＡ、更には、これから得られる開口領域４２の面積の分布についても、一様分布（完全ランダム）では無く、有限の範囲内に分布したものとなる。
【０１０３】
なお、以上の母点を決定する工程において、距離ｒの大きさを変化させることにより、一つあたりの開口領域４２の大きさを調節することができる。具体的には、距離ｒの大きさを小さくすることにより、一つあたりの開口領域４２の大きさを小さくすることができ、逆に距離ｒの大きさを大きくすることにより、一つあたりの開口領域４２の大きさを大きくすることができる。
【０１０４】
次に、図１５に示すように、配置された母点を基準にして、ボロノイ図を作成する。図１５に示すように、ボロノイ図とは、隣接する２つの母点間に垂直二等分線を引き、その各垂直二等分線同士の交点で結ばれた線分で構成される図である。ここで、垂直二等分線の線分をボロノイ境界ＸＢと呼び、ボロノイ境界ＸＢの端部をなすボロノイ境界ＸＢ同士の交点をボロノイ点ＸＰと呼び、ボロノイ境界ＸＢに囲まれた領域をボロノイ領域ＸＡと呼ぶ。
【０１０５】
図１５のように作成されたボロノイ図において、各ボロノイ点ＸＰが、遮光性メッシュ４０の分岐点４６をなすようにする。そして、一つのボロノイ境界ＸＢの端部をなす二つのボロノイ点ＸＰの間に、一つの境界線分４８を設ける。この際、境界線分４８は、図８Ａに示された例のように二つのボロノイ点ＸＰの間を直線状に延びるように決定してもよいし、あるいは、他の境界線分４８と接触しない範囲で二つのボロノイ点ＸＰの間を種々の経路（例えば、円（弧）、楕円（弧）、抛物線、双曲線、正弦曲線、双曲線正弦曲線、楕円函数曲線、ベッセル関数曲線等の曲線状、折れ線状等の経路）で延びるようにしてもよい。なお、境界線分４８は、図８Ａに示された例のように二つのボロノイ点ＸＰの間を直線状に延びるように決定した場合、各ボロノイ境界ＸＢが、境界線分４８を画成するようになる。
【０１０６】
各境界線分４８の経路を決定した後、各境界線分４８の線幅（太さ）を決定する。境界線分４８の線幅は、例えば、開口率が上述した範囲となるように、上述した範囲から選択されることが好ましい。すなわち、遮光性メッシュ４０が所望の可視光透過率および不要光吸収機能を発現するように、決定されることが好ましい。以上のようにして、遮光性メッシュ４０のパターンを決定することができる。
【０１０７】
以上のような本実施の形態によれば、光学部材３０の遮光性メッシュ４０が、二つの分岐点４６の間を延びて開口領域４２を画成する多数の境界線分４８から形成されており、一つの分岐点４６から延び出す境界線分４８の数の平均が３．０以上４．０未満となっており、且つ、開口領域４２が一定のピッチ、即ち一定の繰返ピッチで並べられた方向が存在しないようになっている。この結果、規則的（周期的）に画素Ｐが配列された画像形成装置１５に、この光学部材３０を重ねたとしても、縞状の模様（モアレ、干渉縞）が視認され得る程度に発生することを効果的に防止することができる。また、遮光性メッシュ４０の平面パターンに起因した濃淡のムラが目立ってしまうことを効果的に防止することもできる。
【０１０８】
なお、上述した実施の形態に対して様々な変更を加えることが可能である。
【０１０９】
例えば、上述した実施の形態において、一つの分岐点４６から延び出す境界線分４８の数の平均が３．０以上４．０未満である例、あるいは、一つの分岐点４６から延び出す境界線分４８の数の平均が３．０より大きく４．０未満である例を示したが、これらの例に限られず、一つの分岐点４６から延び出す境界線分４８の数の平均が３．０となるようにしてもよい。一つの分岐点４６から延び出す境界線分４８の数の平均が３．０とした場合、不規則的に配置された開口領域４２が、遮光性メッシュ４０が形成されている領域内により一様に分散された状態とすることができ、これにより、濃淡ムラの発生をより効果的に防止することができる。
【０１１０】
また、上述した実施の形態において、遮光性メッシュ４０の境界線分４８が直線状に形成されている例を示したが、これに限られない。境界線分４８が、前記の如く二つの分岐点４６の間を、曲線状等の種々の経路に沿って延びていてもよい。
【０１１１】
また、上述した実施の形態に於いて、光学部材３０は遮光性メッシュ４０から成る光学機能層３５と透明基材３１とから構成されている例を示したが、これには限られない。透明基材３１を含まず、光学機能層３５のみから構成されていても良い。また、上述した実施の形態に於いては、光学機能層３５が遮光性メッシュ４０と透明樹脂部３６とから構成されている例を示したが、これには限られない。光学機能層３５が透明樹脂部３６を含まず、遮光性メッシュ４０のみから構成されていても良い。
【０１１２】
さらに、上述した遮光性メッシュ４０のパターン設計方法は単なる一例に過ぎない。例えば、次の手順で母点を配置していってもよい。まず、図１１と同様に、絶対座標系Ｏ−Ｘ−Ｙの任意の位置に一つめの母点ＢＰ１を配置する。次に、第１の母点ＢＰ１から距離ｒ以上離れた任意の位置に第２の母ＢＰ２を配置する。その後、第１の母点ＢＰ１および第２の母点ＢＰ２のそれぞれから距離ｒ以上離れた任意の位置に第３の母点ＢＰ３を配置する。その後、既に配置されている全ての母点から距離ｒ以上離れた任意の位置に、次の母点を順に配置していく。以上の手順で、遮光性メッシュ４０が形成されるべき領域内に母点を配置することができなくなるまで、母点を配置していく。遮光性メッシュ４０が形成されるべき領域内に母点を配置することができなくなった際に、母点を作製する工程が終了する。このような処理によっても、不規則的に配置された母点群が、遮光性メッシュ４０が形成されるべき領域内に一様に分散した状態とすることができる。
【０１１３】
また、他の例として、次の手順で母点を配置していってもよい。まず、絶対座標系Ｏ−Ｘ―Ｙの任意の位置に一つ目の母点ＢＰ１を配置する。次に、第１の母点ＢＰ１から距離ｒ１以上且つ距離ｒ２以下離れた任意の位置に第２の母ＢＰ２を配置する。その後、第１の母点ＢＰ１から距離ｒ１以上且つ距離ｒ２以下離れた位置であるとともに、第２の母点ＢＰ２から距離ｒ１以上離れた任意の位置に、第３の母点ＢＰ３を配置する。その後、第１の母点ＢＰ１から距離ｒ１以上且つ距離ｒ２以下離れた位置であるとともに、既に配置されている第１母点ＢＰ１以外の全ての母点ＢＰ２，ＢＰ３から距離ｒ１以上離れた任意の位置に、次の母点を順に配置していく。以上の手順で第１の母点ＢＰ１から距離ｒ１以上且つ距離ｒ２以下離れた位置に母点を配置することができなくなったら、次に、第２の母点から距離ｒ１以上且つ距離ｒ２以下離れた位置であるとともに、既に配置されている第２母点ＢＰ２以外の全ての母点から距離ｒ１以上離れた任意の位置に、次の母点を順に配置していく。このように第２の母点ＢＰ２を基準にして、次の母点を配置することができなくなるまで母点を配置していく。その後、基準となる母点を順に変更していき、同様の手順で母点を形成していく。以上の手順で、遮光性メッシュ４０が形成されるべき領域内に母点を配置することができなくなるまで、母点を配置していく。遮光性メッシュ４０が形成されるべき領域内に母点を配置することができなくなった際に、母点を作製する工程が終了する。このような処理によっても、不規則的に配置された母点群が、遮光性メッシュ４０が形成されるべき領域内に一様に分散した状態とすることができる。なお、図８Ｃに示された遮光性メッシュ４０は、この変形例の方法で母点の位置を決定して作成されたパターンである。したがって、ここで説明した方法によっても、不規則的に配置された母点群が、遮光性メッシュ４０が形成されるべき領域内に一様に分散した状態とすることができる。
【０１１４】
さらに、上述した遮光性メッシュ４０のパターン設計方法に於いては、先ず、平面内に特定の母点を作図し、ついで、該母点のボロノイ分割パターンとして遮光性メッシュ４０のパターンを形成する例を示したが、これには限られない。例えば、手作業にて、平面内に互いに大きさ及び形状の異なる５角形及び６角形の開口領域４２をランダムに作図し、其の際に、何れの方向にも繰返し周期を持たず、各５角形及び６角形の大きさ（面積）が所定の範囲に收まるように留意して作図することによって、遮光性メッシュ４０のパターンを作図しても良い。
【０１１５】
さらに、上述した実施の形態では、光学部材３０の遮光性メッシュ４０の全領域において、開口領域４２が一定のピッチで並べられている方向が存在しないようになっている例を説明した。しかしながら、その内部において複数の開口領域４２が、所定の、繰返周期性の無い、パターンで配列されている領域（単位メッシュ領域）Ｓが複数集合して遮光性メッシュ４０の全領域が構成されているようにしてもよい。即ち、此の形態に於いては、遮光性メッシュ４０の全領域中に、局所的に観たときに、同一パターンで開口領域群４２が配列されてなる単位メッシュ領域Ｓを２箇所以上含むようになる。此の場合もで、特定方向について、一定周期で４箇所以上の繰返しが無ければ、モアレ発生は実質上目立ち難く、無視し得る。この例において、一つの領域Ｓ内における遮光性メッシュのパターンは、例えば、図１１〜図１５を参照しながら説明したパターン作成方法と同様にして作成することができる。昨今では、プラズマディスプレイ装置に代表されるよう、画像表示装置１０の表示面１０ａの大型化が進んでいる。とりわけこのような大型画像表示装置に対しては、遮光性メッシュ４０が、複数の単位メッシュ領域Ｓの配列から構成されていて、且つ各々の単位メッシュ領域Ｓ内に於いては互いに同一のパターンで開口領域４２が配列されている構成とした場合、遮光性メッシュ４０のパターン作成を格段に容易化することが可能となる点において好ましい。
【０１１６】
なお、図１６に示された例では、光学部材３０が、同一の形状を有した六つの単位メッシュ領域Ｓに分割され、各領域Ｓ内で遮光性メッシュ４０が同一に構成されている。そして、六つの領域Ｓは、図１６の縦方向に三つの領域が並ぶとともに、図１６の横方向に二つの領域が並ぶように配列されている。
【０１１７】
なお、このような変形例では、例えば図１６に示すように、開口領域４２の配列が同一のパターンで配列されている領域Ｓが複数、規則的に配列されていると、遮光性メッシュ４０内において、開口領域４２が一定の配列で並べられている範囲が、単位メッシュ領域Ｓの数だけ、当該領域の配列方向と平行な方向に繰り返し存在するようになる。すなわち、遮光性メッシュ４０内において、各開口領域４２が所定の繰り返しピッチで並べられている直線方向が存在するようになる。この場合、領域Ｓの規則的な配列に起因して、縞状模様（モアレ、干渉縞）或いは濃淡ムラが発生する心配もある。但し、特定方向への同一単位メッシュ領域Ｓの繰返しが３箇所以下、さらに好ましくは２箇所以下であれば、斯かる縞状模様や濃淡ムラは無視し得る。すなわち、図１６に示すように、複数の単位領域Ｓがある方向に所定のピッチＳＰ１，ＳＰ２で配列されている場合、当該所定のピッチＳＰ１，ＳＰ２は、ある方向に沿った画像形成装置の寸法Ｌ１，Ｌ２の１／３以上となっていることが好ましく、ある方向に沿った画像形成装置の寸法Ｌ１，Ｌ２の１／２以上となっていることがさらに好ましい。
【０１１８】
尚、図１６の形態に於いては、１画面内に於いて、単位メッシュ領域Ｓを(図１６に於いて)左右方向に２領域、上下方向に３領域配列させた。但し、隣接する単位メッシュ領域同士の境界の継目の修整処理（継目が目立た無くするパターンの変形、修整処理）、単位メッシュ領域の形状（図１６では長方形としたが、其の他、３角形、６角形、星芒形、其の他形状も可能）、配列様式（図１６では長方形の単位メッシュ領域を縦横に碁盤の目上に配列したが、単位メッシュ領域が長方形であっても、これを煉瓦積みの如き配列とすることも可能）等の工夫如何によっては、単位メッシュ領域Ｓの縦横の配列ピッチＳＰ１、ＳＰ２は、１／１０以上であれば、縞状模様や濃淡ムラを目立た無くすることが可能となることが知見された。
【０１１９】
また、隣接する単位メッシュ領域Ｓ同士の境界線は図１６の形態では直線となっているが、該境界線をより目立ち難くする為には、該境界線を折線乃至はジグザグ（ｚｉｇ  ｚａｇ）線、正弦曲線の如くの波型曲線等の線とし、隣接する両単位領域が交互に入り組むように構成されることが好ましい。
【０１２０】
（着色フィルタとの組み合わせ）
本発明に係わる特定の遮光性メッシュ４０を用いた光学部材３０は、実質上、画素Ｐとのモアレを生じ無いとともに、濃淡のムラも生じ無いものである。しかしながら、詳細な原因は現在不明で有るが、画像形成裝置１５の出光面１５ａ上に設置した場合、条件如何によっては、画像に微細なチラツキを生じる場合が有る。斯かるチラツキを目立ち難くする為、積層体２０の適宜位置に、可視光線中の特定波長域の中に吸収スペクトルを持つ着色フィルタを積層することが有効である。該着色フィルタとしては、無彩色（黒色乃至灰色）、有彩色（青、茶、緑等）何れでも良いが、画像の色彩に影響が少ない無彩色の方ものが好ましい。
【０１２１】
本発明に係わる特定の遮光性メッシュ４０を用いた光学部材３０に種々の機能層を積層した積層体２０に於いて、斯かる機能層として導電性パターンを含む電磁波遮蔽部材を採用することが出来る。該導電性パターンとしては、銅箔、樹脂バインダー中に銀粒子を分散した導電性インキ等の導電体からなり、正方格子等の繰返周期を有するパターンを採用することが出来る。導電性メッシュに繰返周期を有するパターンを採用しても、遮光性メッシュ４０が前記の如く特定のパターンからなる為、遮光性メッシュ４０と導電性パターンとの干渉によるモアレの発生を解消することが出来る。
但し、導電性パターンと画素Ｐとの間にはモアレが発生し得る。両者間のモアレが発生した場合には、導電性パターンの繰返周期性を持つ方向と画素Ｐの繰返周期性を持つ方向との間に適宜のバイアス角（通常、３〜２５（度）程度）を持たせてモアレを最小化する。或いは、電磁波遮蔽部材の導電性パターンについても、前記遮光性メッシュ４０のところで説明したパターンと同様の（平面視形状が図８の如き形状の）特定パターンを採用することも出来る。導電性パターンについても斯かる特定パターンを採用した場合は、遮光性メッシュ４０と導電性パターンとのモアレの発生を解消することが出来るのに加えて、更に、バイアス角を考慮すること無く、画像形成裝置１５の画素Ｐと導電性パターンとのモアレ発生も解消することが出来る点において、好ましい。
尚、遮光性メッシュ４０の光吸收性粒子５２を黒鉛等の導電性材料から構成することによって、遮光性メッシュ４０と電磁波遮蔽部材とを１層で兼用（兼務）することが出来る。斯かる形態に於いては、光学部材３０単層で、本発明特定の遮光性能と電磁波遮蔽性能との両機能を発現することが出来る。
【０１２２】
（用途）
以上に説明してきた光学部材３０は各種用途に使用可能である。特に、テレビジョン受像装置、各種測定機器や計器類、各種事務用機器、各種医療機器、電算機器、電話機、電飾看板、各種遊戯機器等の表示部に用いられるプラズマディスプレイ（ＰＤＰ）装置、ブラウン管ディスプレイ（ＣＲＴ）装置、液晶ディスプレイ装置（ＬＣＤ）、電場発光ディスプレイ（ＥＬ）装置などの画像表示装置の前面フィルタ用として好適であり、特にプラズマディスプレイ装置用として好適である。また、その他、住宅、学校、病院、事務所、店舗等の建築物の窓又は扉、車輛、航空機、船舶等の乗物の窓又は扉、電子レンジ等の各種家電製品の窓又は扉等の各種透視性開口部の不要光吸収用途にも使用可能である。
【符号の説明】
【０１２３】
１０  画像表示装置
１０ａ  表示面
１５  画像形成装置、画像表示パネル
１５ａ  出光面、画像形成面
２０  積層体
３０  光学部材、光学シート
３１  基材、透明基材
３５  光学機能層
３６  透明樹脂部、光透過部
３７  ランド部、連通部
４０  遮光性メッシュ
４２  開口領域
４４  ライン部
４６  分岐点
４８  境界線分
５１  母材、バインダー部
５２  光吸収粒子
ＸＡ  ボロノイ領域
ＸＢ  ボロノイ境界
ＸＰ  ボロノイ点
【図１】
2012198539.tif 000003
【図２】
2012198539.tif 000004
【図３】
2012198539.tif 000005
【図４】
2012198539.tif 000006
【図５】
2012198539.tif 000007
【図６】
2012198539.tif 000008
【図７】
2012198539.tif 000009
【図８Ａ】
2012198539.tif 000010
【図８Ｂ】
2012198539.tif 000011
【図８Ｃ】
2012198539.tif 000012
【図８Ｄ】
2012198539.tif 000013
【図９】
2012198539.tif 000014
【図１０Ａ】
2012198539.tif 000015
【図１０Ｂ】
2012198539.tif 000016
【図１１】
2012198539.tif 000017
【図１２】
2012198539.tif 000018
【図１３】
2012198539.tif 000019
【図１４】
2012198539.tif 000020
【図１５】
2012198539.tif 000021
【図１６】
2012198539.tif 000022
【図１７】
2012198539.tif 000023
【図１８】
2012198539.tif 000024